(57)【要約】【課題】  小さな画像を読み取る際に操作性の良い画像処理装置を提供する。【解決手段】  画像処理装置に備えられた操作パネル１３は、入力部１３ａと、表示部１３ｂと、操作制御部１３ｆとを備える。操作制御部１３ｆは、表示部１３ｂに備えられた画面１３ｄの画素ＴＦＴアレイを制御する表示制御部１０２と、画面１３ｄのフォトダイオードセンサアレイを制御する画像入力制御部１０３と、キー入力を読み取って、スキャナ制御部１０６へ送信する入力制御部１０５と、これら制御部の制御を司るスキャナ制御部１０６とを備える。【選択図】図４
2009159228.tif 000002
【特許請求の範囲】
【請求項１】
メイン画像を読み取る画像読み取り部と、操作指示の入力を受け付ける操作部とを備え、
前記操作部は、サブ画像を読み取るスキャナ機能を有することを特徴とする画像処理装置。
【請求項２】
操作部は、操作指示を入力する入力部と、画面を有する表示部とを備え、
前記表示部は、前記画面からサブ画像を読み取ることを特徴とする請求項１に記載の画像処理装置。
【請求項３】
画像読み取り部と表示部とを制御する制御部を備え、
前記制御部は、読み取ったサブ画像に応じた処理を行なうことを特徴とする請求項２に記載の画像処理装置。
【請求項４】
制御部は、メイン画像にサブ画像を合成することを特徴とする請求項３に記載の画像処理装置。
【請求項５】
表示部は、画面にメイン画像およびサブ画像を表示し、両画像のうち、少なくとも一方の画像を移動可能として、画像の合成を行なうことを特徴とする請求項３または４に記載の画像処理装置。
【請求項６】
表示部は、読み取ったメイン画像を画面に表示し、前記メイン画像内において、サブ画像を読み取ったとき、読み取り位置にサブ画像を表示することを特徴とする請求項３または４に記載の画像処理装置。
【請求項７】
表示部は、メイン画像を読み取るタイミングでサブ画像を読み取ることを特徴とする請求項４に記載の画像処理装置。
【請求項８】
表示部は、メイン画像の中にサブ画像を合成する位置が指定された後に、サブ画像を読み取ることを特徴とする請求項７に記載の画像処理装置。
【請求項９】
表示部の読み取り可能サイズは、画像読み取り部の読み取り可能サイズよりも小さいことを特徴とする請求項４に記載の画像処理装置。
【請求項１０】
表示部は、スタンプあるいは印鑑を読み取ることを特徴とする請求項９に記載の画像処理装置。
【発明の詳細な説明】
【技術分野】
【０００１】
本発明は、スキャナ機能を備えた操作部を有する画像処理装置に関する。
【背景技術】
【０００２】
原稿を読み取るスキャナ機能を備えた装置は、従来から種々のものが提案されている。例えば、プリンタ装置と一体的に設けられた複合機や、電子ファイリングシステム等が挙げられる。近年では、画像を表示する表示面と２次元的な情報を読み取る読取面とを同一の画面で構成するインプットディスプレイが提案されている（特許文献１参照）。
【０００３】
ところで、スキャナ機能で原稿の読み取る場合、原稿上の全ての画像を読み取りたいとは限らない。原稿の一部分の画像のみを読み取りたい場合がある。例えば、新聞記事等の中の特定記事のみを読み取りたい場合、あるいは、図面の中の一部を読み取りたい場合等が考えられる。このような場合、従来は、原稿上の全ての画像を読み取り、その読み込んだ画像をパソコン等に取り込み、取り込んだパソコン上において、ペイントソフトウェア等を用いて必要な部分を抽出していた。
【０００４】
しかし、原稿上の全ての画像を読み込み、その画像から必要な部分を抽出する作業は、利用者にとって時間がかかる上に、面倒である。
【０００５】
そこで、特許文献２には、原稿の画像の読み込みを行なう前に、必要な部分の領域を指定して、原稿の一部分の画像を得られる技術が開示されている。
【特許文献１】特開２００４−１５３３２７号公報
【特許文献２】特開２００４−０７２５２７号公報
【発明の開示】
【発明が解決しようとする課題】
【０００６】
しかし、特許文献２は、予め原稿全体を読み込む必要がある。そのため、読み込みに要する時間が長くなる。また、読み込まれた画像データサイズも大きくなる。仮に、プレスキャンにより読み込んだ原稿全体から指定された領域の画像のみを抽出する場合であっても、プレスキャンによる読み込みに要する時間が長いのは避けられない。
【０００７】
本発明は、上記に鑑み、複数の画像を効率よく読み取ることができる画像処理装置の提供を目的とする。
【課題を解決するための手段】
【０００８】
上記目的を達成するために、本発明では、メイン画像を読み取る画像読み取り部と、操作指示の入力を受け付ける操作部とを備え、前記操作部は、サブ画像を読み取るスキャナ機能を有する。
【０００９】
具体的な構成としては、操作部は、操作指示を入力する入力部と、画面を有する表示部とを備える。前記表示部は、前記画面からサブ画像を読み取る。スキャナ機能を備えた操作部の画面において、メイン画像以外のサブ画像を読み取ることができる。
【００１０】
上記構成によると、メイン画像とサブ画像の２つの画像を同時に読み取ることができる。そのため、２つの画像を読み取るときの作業時間を短縮でき、処理効率が向上する。
【００１１】
表示部の読み取り可能サイズは、画像読み取り部の読み取り可能サイズよりも小さい。そのため、表示部は、スタンプあるいは印鑑といった小さな画像を読み取る際に、操作性が良い。
【００１２】
画像読み取り部と表示部とを制御する制御部を備え、前記制御部は、読み取ったサブ画像に応じた処理を行なうことを特徴とする。
【００１３】
制御部は、読み取った画像を、印刷、送信、記憶の何れかで処理する。処理は、利用者の操作指示に従って行なわれる。そして、制御部は、メイン画像およびサブ画像に合わせて処理する。あるいは、制御部は、サブ画像のみを処理しても良い。
【００１４】
処理としては、例えば、メイン画像にサブ画像を合成する処理が挙げられる。この場合、表示部は、画面にメイン画像およびサブ画像を表示する。そして、制御部は、両画像のうち、少なくとも一方の画像を移動させてメイン画像とサブ画像の合成を行なう。例えば、メイン画像にサブ画像を移動させて合成する場合、先ず、表示部は、読み取ったメイン画像を画面に表示する。制御部は、サブ画像を合成する位置を指定する。そして、表示部は、前記メイン画像内において、サブ画像を読み取ったとき、読み取り位置にサブ画像を表示する。
【００１５】
上記構成によると、印鑑や社印等の重要なサブ画像をその場で読み取り合成することが可能となる。そのため、合成された画像を即座に送信することができるので、従来の画像送信に比べ、利便性が向上する。また、印鑑や社印等の重要なサブ画像のデータをメモリに記憶させ、前記重要なサブ画像を読み出して読み込んだ画像に合成する従来のスタンプ機能の場合では、記憶された重要なサブ画像を不正使用することが容易であったが、重要なサブ画像をその場で読み取るので、不正使用や漏洩を防止できる。
【００１６】
また、制御部は、画面に表示された画像を移動させる。これにより、利用者は、画面上で実際に合成を行なうことができるので、従来に比べて作業工程を少なくできる。
【００１７】
また、表示部にメイン画像を表示し、メイン画像内に合成する位置を設定できる。これにより、利用者は、実際に印鑑等を捺印する感覚で操作ができるので、直感的に操作することができる。
【００１８】
表示部は、メイン画像を読み取るタイミングでサブ画像を読み取る。具体的には、操作部は、サブ画像の読み取りをするための画像読み取りボタンを備える。表示部は、画像読み取りボタンが操作されたときに画像を読み取る。あるいは、表示部は、メイン画像を読み取った後、所定時間経過後にサブ画像を読み取る。例えば、表示部は、メイン画像の中にサブ画像を合成する位置が指定された後に、サブ画像を読み取る。
【発明の効果】
【００１９】
本発明によると、スタンプあるいは印鑑といったサブ画像を表示部で読み取りながら、他のメイン画像を同時に読み取ることが可能となる。そのため、利用者は、２度にわたって画像を読み取る作業をする必要がなくなる。そして、２つの画像を合成する、別々に処理するといった利用者のニーズに応じた処理を行なえる。このように、２つのスキャナ機能を有することにより、多様な処理を提案することができる画像処理装置を実現できる。
【発明を実施するための最良の形態】
【００２０】
以下、本発明の画像処理装置を詳細に説明する。
【００２１】
画像処理装置１は、原稿の画像を読み取って記録用紙に印刷するコピーモード、原稿の画像を読み取って送信したり、原稿の画像を受信して記録用紙に印刷したりするファクシミリモード、情報端末装置からネットワークを通じて受信した画像を記録用紙に印刷するプリンタモード、原稿の画像を読み取って記憶するドキュメントファイリングモード等を選択的に行なうことができる。
【００２２】
画像処理装置１は、図１および図２に示すように、画像を読み取る画像読み取り部である原稿搬送読み取り部２と、読み取った画像を印刷する画像形成部３と、画像を印刷するための記録用紙を給紙する給紙部４と、印刷された記録用紙を複数の排紙トレイ５ａに排紙する排紙処理装置５と、ＵＳＢインターフェイス７と、装置全体の制御情報や設定情報等を記憶している管理部（図示せず）と、装置全体の制御を司る制御部である機器制御部９とを備えている。
【００２３】
ここで、機器制御部９とは、操作パネル１３からの入力や外部機器からのデータ入力があると、管理部に記憶されている情報に基づいて各部を制御して、入力された画像データを処理するＣＰＵである。すなわち、入力された画像データに対してコピーモード、プリンタモード、スキャナモード、ファクシミリモード、ドキュメントファイリングモードのいずれかを実行して、入力された画像データを所望の形態で出力する。
【００２４】
次に、コピーモードを例に挙げて、画像処理装置１の動作を説明する。
【００２５】
先ず、利用者が原稿を原稿搬送読み取り部２の原稿セットトレイ１１にセットすると、原稿検出センサ１２は原稿をセットされたことを検出する。利用者が原稿搬送読み取り部２の操作部である操作パネル１３を操作して、印刷用紙のサイズおよび変倍率等を入力設定する。その後、利用者の操作パネル１３の操作により複写の開始を指示する。
【００２６】
これらの操作に応答して、原稿搬送読み取り部２は、ピックアップローラ１８により原稿セットトレイ１１上の各原稿を１枚ずつ引き出す。原稿搬送読み取り部２は、原稿を捌き板１４と搬送ローラ１５との間を介してプラテンガラス１６へと送り出す。そして、原稿搬送読み取り部２は、原稿をプラテンガラス１６上で副走査方向に搬送して原稿排出トレイ１７へと排出する。
【００２７】
このとき、第１読み取り部２１は原稿の表面（下側面）を読み取る。具体的には、第１読み取り部２１は、第１走査ユニット２３をポジションに移動して位置決めする。第１読み取り部２１は、第２走査ユニット２４を所定位置に位置決めする。第１読み取り部２１は、第１走査ユニット２３の露光ランプにより原稿の表面をプラテンガラス１６を介して照射し、原稿の反射光を第１および第２走行ユニット２３、２４の各反射ミラーにより結像レンズ２６へと導き、原稿の反射光を結像レンズ２６によりＣＣＤ（Ｃｈａｒｇｅ  Ｃｏｕｐｌｅｄ  Ｄｅｖｉｃｅ）２７に集光させ、原稿の表面の画像をＣＣＤ２７上に結像させる。これにより原稿の表面の画像を読み取る。
【００２８】
第２読み取り部２２は、原稿の裏面（上側面）を読み取る。第２読み取り部２２は、プラテンガラス１６の上方に配置されており、原稿の裏面を照射する露光ランプ（ＬＥＤアレイや蛍光灯等）を、画素数毎に、原稿の反射光を集光するセルフォックレンズアレイ、および、セルフォックレンズアレイを通じて受光した原稿の反射光を光電変換して、アナログの画像信号を出力する密着イメージセンサ（ＣＩＳ：Ｃｏｎｔａｃｔ  Ｉｍａｇｅ  Ｓｅｎｓｏｒ）等を備えている。
【００２９】
原稿搬送読み取り部２は、筐体の上部を開いて、プラテンガラス１６上に原稿を載置した状態で第１読み取り部２１により原稿の表面を読み取ることが可能である。この場合、原稿搬送読み取り部２は、第１ユニット２３および第２走査ユニット２４を相互に所定の速度関係を維持しつつ副走査方向に移動させる。そして、原稿搬送読み取り部２は、第１走査ユニット２３によってプラテンガラス１６上の原稿を露光し、第１走査ユニット２３および第２走査ユニット２４によって原稿からの反射光を結像レンズ２６へと導き、結像レンズ２６によって原稿の画像をＣＣＤ２７上に結像する。
【００３０】
原稿の片面もしくは両面が読み取られると、原稿の片面もしくは両面の画像を示す画像データがマイクロコンピュータ等の機器制御部９に入力される。機器制御部９は、画像データに各種の画像処理が施され、この画像データが画像形成部３へと出力される。
【００３１】
画像形成部３は、画像データによって示される原稿の画像を記録用紙に印刷するものである。画像形成部３は、感光体ドラム３１、帯電装置３２、レーザスキャンンユニット３３（以下、ＬＳＵ３３と言う）、現像装置３４、転写装置３５、クリーニング装置３６、除電装置（図示せず）、定着装置３７等を備えている。
【００３２】
画像形成部３には、主搬送路３８および反転搬送路３９が設けられる。画像形成部３は、給紙部４から給紙されて来た記録用紙が主搬送路３８に沿って搬送する。給紙部４は、用紙カセット４１に収納された記録用紙、または、手差トレイ４２に載置された記録用紙を１枚ずつ引き出して、記録用紙を画像形成部３の主搬送路３８へと送り出す。
【００３３】
送り出された記録用紙は、画像形成部３の主搬送路３８に沿って記録用紙が搬送されている途中で、記録用紙が感光体ドラム３１と転写装置３５との間を通過し、さらに、定着装置３７を通過する。このときに印刷が行われる。
【００３４】
感光体ドラム３１は、一方向に回転する。感光体ドラム３１は、その表面をクリーニング装置３６と除電装置によりクリーニングされてから、その表面を帯電装置３２により均一に帯電される。
【００３５】
レーザスキャンンユニット３３は、原稿搬送読み取り部２からの画像データに基づいてレーザ光を変調し、このレーザ光によって感光体ドラム３１表面を主走査方向に繰り返し走査して、静電潜像を感光体ドラム３１表面に形成する。
【００３６】
現像装置３４は、トナーを感光体ドラム３１表面に供給して、静電潜像を現像し、トナー像を感光体ドラム３１表面に形成する。
【００３７】
転写装置３５は、該転写装置３５と感光体ドラム３１間を通過して行く記録用紙に感光体ドラム３１表面のトナー像を転写する。
【００３８】
定着装置３７は、記録用紙を加熱および加圧して、記録用紙上に転写されたトナー像を定着させる。
【００３９】
主搬送路３８と反転搬送路３９の接続位置には、分岐爪４３が配設されている。記録用紙の片面だけに印刷が行われる場合、分岐爪４３は位置決めされる。定着装置３７からの記録用紙は、位置決めされた分岐爪４３により排紙トレイ４４または排紙処理装置５の方へと導かれる。
【００４０】
記録用紙の両面に印刷が行われる場合、分岐爪４３は点線で示す位置に回転移動される。定着装置３７からの記録用紙は、回転移動される分岐爪４３により反転搬送路３９の方へと導かれる。記録用紙は、反転搬送路３９を通過して、その表裏を反転されて主搬送路３８へと再び搬送される。そして、記録用紙は、主搬送路３８の再度の搬送途中で、その裏面への印刷が行われて、排紙トレイ４４または排紙処理装置５の方へと導かれる。
【００４１】
印刷された記録用紙は、排紙トレイ４４または排紙処理装置５の方へと導かれ、排紙トレイ４４に排出されたり、排紙処理装置５の各排紙トレイ５ａのいずれかに排出される。
【００４２】
排紙処理装置５では、複数の記録用紙を各排紙トレイ５ａに仕分けして排出したり、各記録用紙にパンチング処理を施したり、各記録用紙にステープル処理を施す。例えば、複数部の印刷物を作成する場合は、各排紙トレイ５ａに印刷物の一部ずつが割り当てられる様に各記録用紙を各排紙トレイ５ａに仕分けして排出し、排紙トレイ５ａ毎に、排紙トレイ５ａ上の各記録用紙にパンチング処理やステープル処理を施して、印刷物を作成する。
【００４３】
ところで、利用者は、スタンプや印鑑といった画像を読み取る場合がある。この場合、利用者は、スタンプや印鑑といった画像をプラテンガラス１６上に載置して第１読み取り部２１から画像を読み取るのでは操作性が悪い。そこで、画像処理装置１は、利用者の操作性を向上するために、スタンプや印鑑といった画像を読み取るためのスキャナ機能を操作パネル１３に備える。
【００４４】
具体的には、操作パネル１３は、図３および図４に示すように、操作指示を入力する入力部１３ａと、画面１３ｄを有する表示部１３ｂと、画面１３ｄに操作画面を表示させる操作制御部１３ｆとを備える。
【００４５】
入力部１３ａは、入力を操作するための機械式のハードキー１３ｃを備える。入力部１３ａは、画面１３ｄから画像の読み取りを開始させるための画像の読み取りキー１３ｇを備える。
【００４６】
表示部１３ｂは、操作画面を形成するのに必要な表示内容と操作指示の入力内容を表示する画面１３ｄと、画面１３ｄを駆動制御する駆動部（図示せず）とを有する。
【００４７】
画面１３ｄは、周知の静電圧式のタッチパネルを有しており、入力を操作するためのタッチキー１３ｅが形成される。タッチパネルは、画面１３ｄの上に設置される。
【００４８】
画面１３ｄは、原稿搬送読み取り部２で読み取る画像５０ａ（以下、メイン画像５０ａと言う）よりも小さい画像５０ｂ（以下、サブ画像５０ｂと言う）を読み取るためのスキャナ機能を備える。
【００４９】
具体的には、画面１３ｄは、画素ＴＦＴを２次元状に配列してなる画素ＴＦＴアレイ（図示せず）と、フォトダイオードセンサを２次元状に配列してなるフォトダイオードセンサアレイ（図示せず）とを有して構成される。
【００５０】
画素ＴＦＴアレイは、２次元的な画像を表示する表示部を構成する。フォトダイオードセンサアレイは、２次元的な情報を読み取る読取部を構成する。こうして、画面１３ｄは、スキャナ機能を備えるとともに、表示機能をも備えている。
【００５１】
このような画面１３ｄは、例えば、特開２００４−１５３３２７号公報に記載されたものが挙げられる。画面１３ｄは、前記公報にも示されているように、画像を表示する表示面と、原稿を読み取る読取面とが兼用された表示・読取面を備えたものとなっている。
【００５２】
画面１３ｄは、原稿搬送読み取り部２から読み取るメイン画像５０ａのサイズよりも小さいサイズのサブ画像５０ｂを読み取る。そのため、画面１３ｄのサイズは、原稿搬送読み取り部２の第１読み取り部２１よりも小とされる。
【００５３】
なお、画面１３ｄの読取面は、画面全体あるいは画面内の決められたエリアとされる。このとき、画面１３ｄには、読み取り可能なエリアが表示される。これにより、利用者は、表示部１３ｂでのスキャンの操作がしやすくなる。
【００５４】
操作制御部１３ｆは、ハードキー１３ｃあるいはタッチキー１３ｅからの入力を受信すると、メモリ（図示せず）に記憶されている操作パネル全体の制御情報や設定情報等の情報に基づいて各部を制御する。また、操作制御部１３ｆは、ハードキー１３ｃあるいはタッチキー１３ｅからの入力があると、入力があった各キーの操作内容を機器制御部９に出力する。
【００５５】
操作制御部１３ｆは、原稿搬送読み取り部２から読み取ったメイン画像５０ａと画面１３ｂから読み取られたサブ画像５０ｂをメモリやＨＤＤといった記憶部（図示せず）に記憶させる。操作制御部１３ｆは、記憶部からメイン画像５０ａやサブ画像５０ｂを読み出して画面１３ｄに表示させる。あるいは、合成させる。
【００５６】
具体的には、操作制御部１３ｆは、画面１３ｄの画素ＴＦＴアレイを制御する表示制御部１０２と、画面１３ｄのフォトダイオードセンサアレイを制御する画像入力制御部１０３と、キー入力を読み取って、スキャナ制御部１０６へ送信する入力制御部１０５と、これら制御部の制御を司るスキャナ制御部１０６とを備える。
【００５７】
表示制御部１０２は、スキャナ制御部１０６からの指示に基づいて画面１３ｄの画素ＴＦＴアレイを制御するものである。具体的には、表示制御部１０２は、図５および図６に示すように、スキャナ制御部１０６から指示を受けると、画面１３ｄに、原稿搬送読み取り部２から読み取ったメイン画像５０ａを表示させる。そして、表示制御部１０２は、画面１３ｄのメイン画像５０ａ中のサブ画像５０ｂを合成する位置５０ｃ（以下、合成位置５０ｃと言う）にメークを表示させる（図７参照）。合成位置５０ｃの設定は、ハードキー１３ｃあるいはタッチキー１３ｅを用いて行なわれる。例えば、ハードキー１３ｃである矢印キーを用いて、合成位置を移動させて、設定する。タッチキー１３ｅの場合は、画面１３ｄに表示された矢印キーを用いて、合成位置を移動させて、設定する。
【００５８】
この合成位置５０ｃは、画面上に複数設定することが可能である。合成位置５０ｃは、例えば、画面１３ｄの左上隅を原点（０，０）とし、右方向にｘ軸、下方向にｙ軸をとった座標として指定される。ただし、座標系の設定はこれに限るものではない。
【００５９】
画像入力制御部１０３は、スキャナ制御部１０６からの指示に基づいて画面１３ｄのフォトダイオードセンサアレイを制御するものである。具体的には、画像入力制御部１０３は、スキャナ制御部１０６から指示を受けると、画面１３ｄのフォトダイオードセンサアレイを制御して画像データを読み込み、スキャナ制御部１０６を介して、機器制御部９に転送する。
【００６０】
すなわち、利用者が画像の読み取りキー１３ｇを操作したとき、画像入力制御部１０３は動作を開始し、サブ画像５０ｂの読み取りが可能となる。読み取りが終了すると、画像入力制御部１０３は動作を停止する。画面１３ｄは、通常の表示となる。
【００６１】
入力制御部１０５は、ハードキー１３ｃあるいはタッチキー１３ｅ等のキー入力を読み取って、合成位置情報や、スキャナ機能開始のコマンド等の利用者からの操作指示をスキャナ制御部１０６へ送信するものである。
【００６２】
スキャナ制御部１０６は、入力制御部１０５から送信された１つ以上の合成位置情報を管理して、前記合成位置情報に基づき、表示制御部１０２に合成位置５０ｃのマークを表示させるコマンドを送信したり、画像入力制御部１０３からサブ画像５０ｂの読み取りを行なうようにコマンドを送信したりするものであって、例えば、制御用マイクロコンピュータにより構成される。
【００６３】
スキャナ制御部１０６は、メイン画像５０ａを読み取るタイミングでサブ画像５０ｂを画面１３ｄから読み取るように画像入力制御部１０３を制御する。具体的には、スキャナ制御部１０６は、メイン画像５０ａの中にサブ画像５０ｂを合成する位置が指定された後、画像の読み取りキー１３ｇが操作されたことを入力制御部１０５から受けてからサブ画像５０ｂを画面１３ｄから読み取るように画像入力制御部１０３を制御する。
【００６４】
なお、サブ画像５０ｂの読み取るタイミングはこの限りではなく、例えば、メイン画面５０ａを読み取るタイミングと同時に読み取っても良い。あるいは、メイン画面５０ａを読み取った後、所定時間経過後にサブ画面５０ｂを読み取っても良い。
【００６５】
次に、コピーモードを例に挙げ、操作パネル１３のスキャン機能の動作を説明する。なお、説明の便宜上、サブ画像５０ｂの読み取るタイミングは、画像の読み取りキー１３ｇからの入力操作があったときに行なう。また、サブ画像５０ｂとして読み取る画像は、社印等の印鑑とする。
【００６６】
利用者が、電源をＯＮすると、操作制御部１３ｆは、初期画面を画面１３ｄに表示するように制御する。そして、画面１３ｄには初期画面が表示される。
【００６７】
利用者は、メイン画像５０ａとなる原稿を原稿搬送読み取り部２の原稿セットトレイ１１にセットし、操作パネル１３を操作することにより印刷用紙のサイズおよび変倍率等を入力設定する。その後、操作パネル１３の操作によりコピーの開始を指示する。
【００６８】
操作制御部１３ｆは、原稿搬送読み取り部２からメイン画像５０ａが読み込まれたか否かを確認する。メイン画像５０ａが読み込まれていない場合、操作制御部１３ｆは、メイン画像５０ａが読み込まれるまで確認をする。
【００６９】
メイン画像５０ａが読み込まれると、操作制御部１３ｆは、画面１３ｄにメイン画像５０ａを表示させるように制御する。そして、操作制御部１３ｆは、メイン画面５０ａの中のどの位置にサブ画像５０ｂを合成するかの操作指示が入力されたかを確認する。合成位置５０ｃが入力されていない場合、操作制御部１３ｆは、合成位置５０ｃが入力されるまで確認をする。
【００７０】
合成位置５０ｃが入力されると、操作制御部１３ｆは、画像の読み取りキー１３ｇが操作されたかを確認する。画像の読み取りキー１３ｇが操作されると、操作制御部１３ｆは、画面１３ｄの上に置かれた物の読み取りを開始する。この物の画像がサブ画像５０ｂとして入力される。操作制御部１３ｆは、図５に示すように、サブ画像５０ｂを画面１３ｄに表示させる。そして、操作制御部１３ｆは、合成位置５０ｃのマークを表示させる。利用者が合成位置５０ｃを設定すると、メイン画像５０ａには、図６に示すように、合成位置５０ｂにサブ画像５０ｂが合成される。
【００７１】
利用者がタッチキー１３ｅの「ＯＫ」キーを押すと、操作制御部１３ｆは、合成された画像を画像形成部３に出力する。そして、画像形成部３は、給紙部４から給紙されて来た記録用紙に前記合成された画像を印刷して各排紙トレイ５ａに排紙する。
【００７２】
合成後に、利用者がタッチキー１３ｅの「キャンセル」キーを押したとき、操作制御部１３ｆは、メイン画面５０ａの中のどの位置にサブ画像５０ｂを合成するかの操作画面を表示する。そして、操作制御部１３ｆは、合成位置５０ｃの入力がされたかを確認する。利用者は、合成された画像を見ながら合成位置５０ｃを変更できる。メイン画像５０ａあるいはサブ画像５０ｃのサイズを変更可能とすることにより、サブ画像５０ｂをメイン画像５０ａにきれいに合成することができる。
【００７３】
これにより、画像処理装置１は、印鑑や社印等の重要な画像をその場で読み取り合成することが可能となる。また、合成された画像を印刷することが可能となる。したがって、従来の合成した画像の印刷に比べ、利便性が向上する。
【００７４】
なお、本発明は、上記実施形態に限定されるものではなく、本発明の範囲内で上記実施形態に多くの修正および変更を加え得ることは勿論である。本実施形態では、コピーモードで説明したが、ドキュメントファイリングモードやファックスモードであってもよい。
【００７５】
本実施形態は、読み取った画像データに社印などの印鑑の画像データを合成する説明を行ったが、これに限定されることなく、「日付け入り受け取りスタンプ」や「重要度スタンプ」等、様々なものに適用可能である。
【００７６】
本実施形態では、メイン画像にサブ画像を合成する場合で説明したが、特にこの限りではなく、例えば、操作部のスキャン機能でサブ画像同士を読み取って合成しても良い。あるいは、操作部のスキャナ機能で名刺を読み取って、電話帳登録をしても良い。名刺からファックス番号を読み取って、ファックス送信をしても良い。
【００７７】
メイン画像、サブ画像の２つの画像を別々に処理しても良い。例えば、メイン画像は印刷処理をする、サブ画像はドキュメントファイリング処理するといったように、読み取った２つの画像を、それぞれ別の処理を行なう。これにより、作業の簡略化が図れる。
【００７８】
サブ画像を利用者の認証に使用しても良い。あらかじめ、利用者の指紋や静脈等を登録しておく。利用者が画像処理装置を利用する際、操作部のスキャナ機能で、指紋や静脈等をスキャンし、登録された利用者であるかを確認する。
【００７９】
本実施形態では、合成位置のマークを移動させて、画面に表示されているメイン画像中の合成する位置にあわせてからサブ画像を読み込んで合成しているが、その限りではない。例えば、画像そのものを移動させて合成させても良い。具体的には、あらかじめメイン画像とサブ画像を読み込み、２つの画像を画面に表示させる。そして、いずれか一方の画像を移動させ、合成させたい位置にあわせる。これにより、メイン画像とサブ画像を合成する。
【００８０】
あるいは、画面にサブ画像として読み取る物の載置した位置を合成する位置としても良い。具体的には、画面にメイン画像を表示する。メイン画像中の合成したい位置にサブ画像として読み取りたい物を載置する。そして、サブ画像を読み取ると、合成したい位置にサブ画像が合成される。これにより、利用者は、実際に印鑑等を捺印する感覚で操作ができるので、直感的に操作することができる。
【図面の簡単な説明】
【００８１】
【図１】本実施形態に係る画像処理装置を示す斜視図
【図２】画像処理装置を示す断面図
【図３】操作パネルを示す図
【図４】画像処理装置のブロック図
【図５】読み込んだメイン画像とサブ画像を並べて表示した画面を示す図
【図６】読み込んだメイン画像にサブ画像を合成して表示した画面を示す図
【図７】読み込んだメイン画像の合成位置を設定する画面を示す図
【符号の説明】
【００８２】
１    画像処理装置
１３    操作パネル
１３ａ  入力部
１３ｂ  表示部
１３ｃ  ハードキー
１３ｄ  画面
１３ｅ  タッチキー
１３ｆ  操作制御部
１３ｇ  画像の読み取りキー
５０ａ  メイン画像
５０ｂ  サブ画像
５０ｃ  合成位置
１０２  表示制御部
１０３  画像入力制御部
１０５  入力制御部
１０６  スキャナ制御部
【図１】
2009159228.tif 000003
【図２】
2009159228.tif 000004
【図３】
2009159228.tif 000005
【図４】
2009159228.tif 000006
【図５】
2009159228.tif 000007
【図６】
2009159228.tif 000008
【図７】
2009159228.tif 000009